(57)【特許請求の範囲】
【請求項１】
透光性の基板の表面に設けられた透光性の着色層の透過により所定の発光色に着色された着色照明光を、前記着色層よりも前記基板から離れた側に設けられ、意匠抜きの開口により構成された文字、目盛り等の表示部を備えた、所定の表示色の地色層に背後から照射して、前記開口を通過する前記着色照明光により発光表示させる表示装置において、
前記基板と前記地色層の間に設けられ、光の透過を不能とする遮光層であって、前記着色照明光が通過する前記開口と同一形状の第３開口を備えた、遮光層と、
前記地色層の前記遮光層から離れた側の表面に設けられ、前記表示色に一致する色相でかつ該表示色よりも光透過率の低い減光色に着色された減光層であって、前記着色照明光が通過する第２開口を備えた減光層と、を有し、
前記第２開口は、少なくともその周縁が前記開口の周縁と相似形状であり、当該周縁が前記開口の周縁よりも内側に延出していることを特徴とする表示装置。
【請求項２】
前記減光層は、少なくとも前記開口の周縁と該開口の内周面とを各々覆うように設けられていることを特徴とする請求項１記載の表示装置。
【請求項３】
前記減光層は、前記第３開口の内周面をさらに覆うように設けられていることを特徴とする請求項１又は２記載の表示装置。
【請求項４】
前記地色層の前記遮光層から離れた側の表面に、前記減光色による所定パターンの模様を形成する装飾層がさらに設けられ、前記減光層は前記装飾層の部分により構成されていることを特徴とする請求項１ないし３のうち１項に記載の表示装置。
【請求項５】
前記遮光層は、前記地色層と前記着色層との間に設けられ、
前記第３開口は、前記開口と同一の大きさで形成されると共に、該第３開口の周縁が、前記開口の周縁とその輪郭の全周に亘って一致するように設けられていることを特徴とする請求項１ないし４のうち１項に記載の表示装置。
【請求項６】
透光性の基板の表面に設けられた透光性の着色層の透過により所定の発光色に着色された着色照明光を、前記着色層よりも前記基板から離れた側に設けられ、意匠抜きの開口により構成された文字、目盛り等の表示部を備えた、所定の表示色の地色層に背後から照射して、前記開口を通過する前記着色照明光により発光表示させる表示装置において、
前記着色層と前記地色層の間に設けられ、前記表示色に一致する色相でかつ該表示色よりも光透過率の低い減光色に着色された、光の透過を抑制する減光層であって、前記着色照明光が通過する第２開口を備えた減光層、を有し、
前記第２開口は、少なくともその周縁が前記開口の周縁と相似形状であり、当該周縁が前記開口の周縁よりも内側に延出していることを特徴とする表示装置。
【発明の詳細な説明】
【０００１】
【発明の属する技術分野】
本発明は表示装置に係り、特に自動車用メータ等に好適な表示装置に関する。
【０００２】
【従来の技術】
従来から、自動車のインストルメントパネルには、自動車の速度を表示する速度計や、エンジンの回転数を表示する回転計等、種々の計器が配設された表示装置としてのメータが配設されている。
【０００３】
図７乃至図９は従来の自動車用メータの回転計部分を示したもので、図示しないメータケースの前面側に配設される文字板２１には、図７に正面図で示すように、その表面に所定の文字や目盛り等の表示部２２が形成されており、また、前記文字板２１の後面側には、図示しない計器ユニットが固着されており、さらに、前記文字板２１の前面側には、前記計器ユニットで駆動される指針２３が配設されている。
【０００４】
また、前記メータケースの後面側には、照明用の光源（図示せず）が配設されており、夜間時等に、この光源が発する光を前記文字板２１の後面側から照射してその光が文字板２１を透過することで、前記表示部２２が発光表示されるようになっている。
【０００５】
このようなメータにおいて、前記文字板２１は、図８に要部拡大断面図で示すように構成されている。
【０００６】
即ち、合成樹脂等の透明性の基板２４の表面に、例えば白色拡散層等からなる着色層２５を印刷等により形成し、この着色層２５の表面に、黒色等の暗色の遮光層２６を印刷等により形成して、さらに、この遮光層２６の表面に、遮光層２６とは異なる所定の表示色の地色層２７を印刷等により形成し、これら遮光層２６及び地色層２７に、表示部２２の文字や目盛りを意匠抜きした開口２６ａ，２７ａを、互いの周縁の位置を一致させて形成することで構成されている。
【０００７】
このような構成による自動車用メータの回転計によれば、基板２４を透過した光源からの光が、着色層２５を透過する際にこの着色層２５の色、例えば白色に着色されて着色照明光となり、この着色照明光が遮光層２６によって、開口２６ａを除く遮光層２６部分において遮光され、開口２６ａを通過した着色照明光のみが、地色層２７の開口２７ａをさらに通過して文字板２１の前方に出射する。
【０００８】
そして、これにより、文字板２１の全体が地色層２７の表示色で視認されると共に、表示部２２が、地色層２７の開口２７ａを通過し文字板２１の前方に出射した着色照明光により、着色層２５の色、例えば白色に着色されて発光表示されることとなる。
【０００９】
【発明が解決しようとする課題】
しかしながら、上述した従来の文字板２１では、印刷等により基板２４上に着色層２５、遮光層２６、及び、地色層２７を積層する際、基板２４に対する各層２５，２６，２７の積層位置に製造誤差によりずれが生じる場合があり、特に、開口２６ａ，２７ａが形成される遮光層２６と地色層２７との相互間に、基板２４に対する相対位置のずれが生じると、これら遮光層２６及び地色層２７の開口２６ａ，２７ａどうしの周縁位置が一致せずにずれてしまう。
【００１０】
また、基板２４に対する各層２５，２６，２７の積層位置にずれがないとしても、遮光層２６の開口２６ａと地色層２７の開口２７ａとの間に寸法誤差があると、やはり、遮光層２６及び地色層２７の開口２６ａ，２７ａどうしの周縁位置が一致せずにずれてしまう。
【００１１】
そして、上述した遮光層２６の開口２６ａと地色層２７の開口２７ａとの間に周縁位置のずれが生じると、例えば、図８に要部拡大断面図で示すように、地色層２７の開口２７ａの内側に遮光層２６の開口２６ａの周縁がはみ出してしまい、地色層２７の表示色が遮光層２６の色と異なるがために、文字板２１の表示部２２を視認する際に、地色層２７の開口２７ａの内側にはみ出た遮光層２６の開口２６ａの周縁部分が目立って見えてしまい、見栄えが悪く、文字板２１としての意匠上の美観を損ねてしまうという不具合があった。
【００１２】
しかも、図７に示すように、文字板２１にはその外周部に表示部２２が点在して配置されていることから、上述したように遮光層２６及び地色層２７の開口２６ａ，２７ａどうしの周縁位置が一致せずにずれてしまった場合には、各表示部２２において、開口２７ａの内側に開口２６ａの周縁部分がはみ出る位置に相違が生じ、この相違がさらに、はみ出た開口２６ａの周縁部分の位置の不均一さを招いて、文字板２１としての意匠上の美観を損ねる度合いを増加させてしまうという不具合があった。
【００１３】
そして、この不具合は、実公平６−４３８３１号公報に記載された表示板のように、遮光層２６の開口２６ａを地色層２７の開口２７ａよりも積極的に小さくした場合には、より顕著に現れてしまう。
【００１４】
そこで、上述した従来技術の不具合を解消するために、例えば、図９に要部拡大断面図で示すように、遮光層２６の開口２６ａの内周面２６ｂを地色層２７により覆い、地色層２７の開口２７ａを遮光層２６の開口２６ａよりも小さい輪郭で形成することも考えられる。
【００１５】
ところが、地色層７の表示色は、特に最近では、メータ全体についても同じことが言えるが、明るめにする傾向が強く、例えそうでないにしても、遮光層２６に比べれば明らかに光透過率の高い色が表示色として選択されるのであるから（そうでなければ遮光層２６の表面に地色層２７を形成する必要性がなくなってしまう）、地色層２７は多少なりとも着色照明光を透過させてしまうのは避けられない。
【００１６】
そのため、上述したように開口２６ａの内周面２６ｂを地色層２７により覆う構成を採用すると、開口２６ａの内周面２６ｂを覆う地色層２７部分が着色層２５に直に接して、着色層２５の透過により着色された着色照明光がこの地色層２７部分に入射してこれを透過し、その結果、表示部２２の周縁部分がぼんやり発光し、表示部２２の発光表示がにじんで視認されてしまうという、新たな不具合を生じてしまう。
【００１７】
本発明は前記事情に鑑みなされたもので、本発明の目的は、文字板の全体を所定の表示色の地色層により覆ってこの表示色により視認させ、その上で、文字や目盛り等の表示部を開口により形成して、着色層の透過により着色した光源からの光である着色照明光に、表示部を形成する開口を通過させて、表示部を着色照明光により発光表示させるに当たり、文字板を視認した際の意匠上の美観を高く維持することが可能な表示装置を提供することにある。
【００１８】
【課題を解決するための手段】
前記目的を達成するため請求項１に記載された本発明の表示装置は、透光性の基板の表面に設けられた透光性の着色層の透過により所定の発光色に着色された着色照明光を、前記着色層よりも前記基板から離れた側に設けられ、意匠抜きの開口により構成された文字、目盛り等の表示部を備えた、所定の表示色の地色層に背後から照射して、前記開口を通過する前記着色照明光により発光表示させる表示装置において、前記基板と前記地色層の間に設けられ、光の透過を不能とする遮光層であって、前記着色照明光が通過する前記開口と同一形状の第３開口を備えた、遮光層と、前記地色層の前記遮光層から離れた側の表面に設けられ、前記表示色に一致する色相でかつ該表示色よりも光透過率の低い減光色に着色された減光層であって、前記着色照明光が通過する第２開口を備えた減光層と、を有し、前記第２開口は、少なくともその周縁が前記開口の周縁と相似形状であり、当該周縁が前記開口の周縁よりも内側に延出していることを特徴とする表示装置である。
【００１９】
請求項２に記載された発明は、請求項１に記載された発明において、前記減光層は、少なくとも前記開口の周縁と該開口の内周面とを各々覆うように設けられていることを特徴とするものである。
【００２０】
請求項３に記載された発明は、請求項１又は２に記載された発明において、前記減光層は、前記第３開口の内周面をさらに覆うように設けられていることを特徴とするものである。
【００２１】
請求項４に記載された発明は、請求項１ないし３のうち１項に記載された発明において、前記地色層の前記遮光層から離れた側の表面に、前記減光色による所定パターンの模様を形成する装飾層がさらに設けられ、前記減光層は前記装飾層の部分により構成されていることを特徴とするものである。また、請求項５に記載された発明は、請求項１ないし４のうち１項に記載された発明において、前記遮光層は、前記地色層と前記着色層との間に設けられ、前記第３開口は、前記開口と同一の大きさで形成されると共に、該第３開口の周縁が、前記開口の周縁とその輪郭の全周に亘って一致するように設けられていることを特徴とするものである。
【００２２】
請求項６に記載された発明は、透光性の基板の表面に設けられた透光性の着色層の透過により所定の発光色に着色された着色照明光を、前記着色層よりも前記基板から離れた側に設けられ、意匠抜きの開口により構成された文字、目盛り等の表示部を備えた、所定の表示色の地色層に背後から照射して、前記開口を通過する前記着色照明光により発光表示させる表示装置において、前記着色層と前記地色層の間に設けられ、前記表示色に一致する色相でかつ該表示色よりも光透過率の低い減光色に着色された、光の透過を抑制する減光層であって、前記着色照明光が通過する第２開口を備えた減光層、を有し、前記第２開口は、少なくともその周縁が前記開口の周縁と相似形状であり、当該周縁が前記開口の周縁よりも内側に延出していることを特徴とする表示装置である。
【００２３】
請求項１に記載した本発明の表示装置によれば、地色層の表示色に一致する色相でこの表示色よりも光透過率の低い減光色に減光層が着色されていることから、減光層の第２開口の周縁をその輪郭の全周に亘り、地色層の延在方向において地色層の開口の周縁よりも内側に配置することによって、地色層の開口の周縁と減光層の第２開口の周縁とがずれて見えても、両者の色相に相違がないため視覚上の違和感が生じない。
【００２４】
しかも、減光色の方が表示色よりも光透過率が低いため、地色層の開口の周縁よりも内側に配置された減光層の第２開口の周縁部分が直接視認されたとしても、この第２開口の周縁部分を着色照明光が透過してぼんやり発光表示させることがない。
【００２５】
したがって、地色層の表示色と異なる色が視認されて違和感を起こさせたり、表示部の発光表示がぼやけて視認されてしまうといった、意匠上の美観が損なわれてしまうのが防止され、表示装置としての意匠上の美観を高く維持することが可能となる。
【００２６】
また、請求項２に記載した本発明の表示装置によれば、減光層よりも着色層側に配置された地色層の開口の内周面が、地色層の表示色よりも光透過率の低い減光色の減光層により覆われることから、着色層を透過して地色層に入射した着色照明光が地色層内での内部反射により開口の内周面に達したとしても、この内周面から開口の内側への着色照明光の出射が減光層により抑制される。
【００２７】
したがって、地色層の開口の周縁部分がこの開口の内周面から出射する着色照明光によりぼんやり発光表示され、表示装置としての意匠上の美観が損なわれてしまうのを、確実に防止することが可能となる。
【００２８】
また、請求項３に記載した本発明の表示装置によれば、表示部を除く部分が着色照明光により発光表示されてしまうのを防ぐために、地色層のうち開口以外の地色層部分に着色照明光が照射されるのを防ぐ遮光層を、地色層と着色層との間に配置する場合、この遮光層の第３開口の周縁が万一、地色層の延在方向において地色層の開口の周縁に対して位置ずれして、開口の内側にはみ出たとしても、減光層によって第３開口の内周面が覆われることから、地色層の開口の内側にはみ出た第３開口の周縁部分が直接視認されて、視覚上の違和感を起こさせてしまうことを、確実に防止することが可能となる。
【００２９】
さらに、請求項４に記載した本発明の表示装置によれば、地色層の表面に表示色とのコントラスト差により所定パターンの模様を形成する装飾層が減光色によって設けられる場合、この装飾層の部分により減光層を構成することで、装飾層の形成によって減光層を地色層上に同時に形成して、地色層に対する減光層の形成工程を事実上省略することが可能となり、かつ、減光層を所定パターンの模様の一部として、地色層上における減光層の存在による視覚上の違和感を、より一層なくすことが可能となる。
【００３０】
さらに、請求項６に記載した本発明の表示装置によれば、地色層と着色層との間に減光層を配置して、減光層の第２開口の周縁を地色層の開口の周縁よりも地色層の延在方向における内側に配置したとしても、開口を除く地色層部分における着色照明光の透過が減光層によって抑制されることから、開口を除く地色層部分に対する着色照明光の照射を防ぐための遮光層を地色層と着色層との間に配設しなくても、表示部のみを着色照明光により発光表示させることが可能となり、これにより、その他の地色層部分が着色照明光により発光表示されて、表示装置としての意匠上の美観が損なわれてしまうのを、確実に防止することが可能となる。
【００３１】
【発明の実施の形態】
以下、本発明による表示装置の実施形態を図面に基づいて説明する。
【００３２】
図１は本発明の第１実施形態に係る表示装置の正面図であり、図１中引用符号１で示す第１実施形態の表示装置は、文字や目盛り等の表示部３を外周部に有する文字板２の前方に配設した指針４を、文字板２の背後に配設した不図示の内機により、エンジン（図示せず）の回転数に応じた角度で回転駆動することで、指針４が文字板２のエンジン回転数に対応する表示部３箇所を指示するように構成されている。
【００３３】
そして、前記文字板２は、図２に要部拡大断面図で示すように、合成樹脂等の透明性の基板５と、この基板５の表面に印刷等により形成された、例えば白色拡散層等からなる着色層６と、この着色層６の表面に印刷等により形成された、黒色等の暗色の遮光層７と、この遮光層７の表面に印刷等により形成された、遮光層７とは異なる所定の表示色の地色層８とを有しており、これら遮光層７及び地色層８には、表示部３の文字や目盛りを意匠抜きした開口７ａ，８ａが、互いの周縁の位置を一致させて形成されている。
【００３４】
また、文字板２は、地色層８の表面であって開口８ａの周縁の表面部分に、開口８ａの全周に亘って印刷等により形成された、地色層８の表示色に一致する色相でこの表示色よりも光透過率の低い減光色に着色された減光層９を有しており、この減光層９は、遮光層７及び地色層８の開口７ａ，８ａの内側に延出して、各開口７ａ，８ａの内周面７ｂ，８ｂを覆い、さらに、これら開口７ａ，８ａに対応する着色層６の表面部分の周縁部を覆っている。
【００３５】
以上の構成により、第１実施形態の表示装置１では、遮光層７及び地色層８の開口７ａ，８ａの内周面７ｂ，８ｂを覆う減光層９部分の内側に、遮光層７及び地色層８の開口７ａ，８ａよりも小さい輪郭の開口９ａが画成され、この減光層９の開口９ａの周縁が、その全周に亘って、地色層８の表面を含む面内における遮光層７及び地色層８の開口７ａ，８ａの周縁よりも内側に配置されることとなる。
【００３６】
尚、基板５の背後には、表示部３を発光表示させるための光源（図示せず）が配設されており、また、第１実施形態では、地色層８の開口８ａが請求項中の開口に相当し、減光層９の開口９ａが請求項中の第２開口に相当すると共に、遮光層７の開口７ａが請求項中の第３開口に相当しており、また、請求項中の地色層の延在方向は、地色層８の表面を含む面を通る任意の方向に相当している。
【００３７】
次に、上述のように構成された第１実施形態の表示装置１の作用について説明する。
【００３８】
第１実施形態の表示装置１では、基板５の背後に配設された不図示の光源を点灯することで、基板５を透過した光源からの光が、着色層６を透過する際にこの着色層６の色、例えば白色に着色されて着色照明光となり、この着色照明光が着色層６の表面に達する。
【００３９】
すると、着色層６の表面のうち遮光層７によって覆われている表面部分に達した着色照明光は、この遮光層７によって遮光され、また、遮光層７及び地色層８の開口７ａ，８ａの内周面７ｂ，８ｂを覆った減光層９により覆われている、遮光層７の開口７ａに対応する着色層６の表面部分の周縁部に達した着色照明光は、この減光層９に入射する。
【００４０】
しかし、減光層９が地色層８の表示色よりも光透過率の低い減光色であることから、減光層９に入射した着色照明光は、減光層９の透過の際に殆ど減衰されて、減光層９の外方には出射しない。
【００４１】
したがって、着色層６の表面に達した着色照明光は、遮光層７の開口７ａに対応する着色層６の表面部分のうち、減光層９によって覆われていない表面部分に達した着色照明光のみが、減光層９の開口９ａの内側を通過して、減光層９よりも文字板２の前方に出射する。
【００４２】
これにより、文字板２の全体が地色層８の表示色で視認されると共に、表示部３が、減光層９部分の開口９ａを通過し文字板２の前方に出射した着色照明光により、着色層６の色、例えば白色に着色されて発光表示されることとなる。
【００４３】
このように第１実施形態の表示装置１によれば、文字板２の透明樹脂からなる基板５の表面に白色等の着色層６を印刷等により積層し、この着色層６の表面に黒色等の遮光層７を印刷等により積層し、さらに、この遮光層７の表面に所定の表示色による地色層８を印刷等により積層して、遮光層７及び地色層８に形成した文字や目盛りの意匠抜きからなる開口７ａ，８ａによって表示部３を構成して、基板５の背後の不図示の光源から発せられた光を着色層６の透過により着色して着色照明光とし、この着色照明光を遮光層７及び地色層８の開口７ａ，８ａの通過により、着色層６の色、即ち、白色に着色された着色照明光により発光表示させるに当たり、次のような構成を採用した。
【００４４】
即ち、遮光層７及び地色層８の開口７ａ，８ａの周縁を減光層９により覆い、この減光層９を遮光層７及び地色層８の開口７ａ，８ａの内側に延出させて、各開口７ａ，８ａの内周面７ｂ，８ｂを覆わせ、この各開口７ａ，８ａの内周面７ｂ，８ｂを覆う減光層９部分の内側に、遮光層７及び地色層８の開口７ａ，８ａよりも小さい輪郭の開口９ａを画成させて、この減光層９の開口９ａの周縁を、その全周に亘って、地色層８の表面を含む面内における遮光層７及び地色層８の開口７ａ，８ａの周縁よりも内側に配置させる構成とした。
【００４５】
このため、遮光層７の開口７ａと地色層８の開口８ａとの間に、寸法誤差や基板５に対する位置ずれによる周縁位置の相違が生じても、これら各開口７ａ，８ａの内周面７ｂ，８ｂが減光層９により覆われることから、遮光層７の開口７ａの周縁が地色層８の開口８ａの内側にはみ出て文字板２の正面側から視認されることがない。
【００４６】
しかも、地色層８の表面であって開口８ａの周縁の表面部分に積層される減光層９が、地色層８の表示色に一致する色相でこの表示色よりも光透過率の低い減光色に着色されていることから、地色層８の表示色と減光層９の減光色とが所謂同系色の関係となり、したがって、文字板２の正面から見て地色層８と減光層９とが隣接して配置されても、両者の色に違和感を起こさせるような差が生じない。
【００４７】
その上、減光層９の減光色の方が地色層８の表示色よりも光透過率が低いため、遮光層７及び地色層８の開口７ａ，８ａの内側に延出して各開口７ａ，８ａの内周面７ｂ，８ｂを覆う減光層９の部分が、着色層６の表面に接触して、基板５及び着色層６を透過した着色照明光がこの減光層９部分から内部に入射したとしても、減光層９を着色照明光が透過して減光層９から文字板２の前方に出射することが殆どなく、着色照明光により減光層９が照明されて発光することがない。
【００４８】
したがって、文字板２上で地色層８の表示色と異なる色が視認されて違和感を起こさせたり、表示部３の発光表示が減光層９の発光によりぼやけて視認されてしまうといった、意匠上の美観が損なわれてしまう事態の発生を防止し、表示装置１としての意匠上の美観を高く維持することができる。
【００４９】
次に、本発明の第２実施形態に係る表示装置について、図３を参照して説明する。
【００５０】
図３は本発明の第２実施形態に係る表示装置の要部拡大断面図であり、図３中引用符号１Ａで示す第２実施形態の表示装置は、遮光層７と地色層８との配置を逆転させて、遮光層７の開口７ａを透明樹脂からなる透過層１１で埋め、減光層９の開口９ａ部分により地色層８の開口８ａの内周面８ｂのみを覆った点において、第１実施形態の表示装置１とは構成が異なっており、その他の点については第１実施形態の表示装置１と同様に構成されている。
【００５１】
このように構成された第２実施形態の表示装置１Ａによっても、第１実施形態の表示装置１と同様の効果を得ることができる。
【００５２】
続いて、本発明の第３実施形態に係る表示装置について、図４を参照して説明する。
【００５３】
図４は本発明の第３実施形態に係る表示装置の要部拡大断面図であり、図４中引用符号１Ｂで示す第３実施形態の表示装置は、地色層８の表面に、地色層８の表示色に一致する色相でこの表示色よりも光透過率の低い減光色に着色されたストライプ状の装飾層９Ａを積層し、この装飾層９Ａの一部によって減光層９を構成した点において、第１実施形態の表示装置１とは構成が異なっており、その他の点については第１実施形態の表示装置１と同様に構成されている。
【００５４】
このように構成された第３実施形態の表示装置１Ｂによれば、第１実施形態の表示装置１と同様の効果を得ることができる他、地色層８を所謂同系色のストライプで装飾するための装飾層９Ａの一部によって減光層９を構成することから、地色層８に対して装飾層９Ａを積層する工程を行うことで、地色層８に対する減光層９の積層を同時に行うことができ、製造工程の簡略化とそれによる製造コストの低減とを実現することができる。
【００５５】
しかも、第３実施形態の表示装置１Ｂによれば、装飾層９Ａの一部によって減光層９を構成することから、地色層８の表面に減光層９を存在させることによる視覚上の違和感を、装飾層９Ａの一部として減光層９を視認させることでなくし、表示装置１Ｂとしての意匠状の美観を一層向上させることができる。
【００５６】
次に、本発明の第４実施形態に係る表示装置について、図５を参照して説明する。
【００５７】
図５は本発明の第４実施形態に係る表示装置の要部拡大断面図であり、図５中引用符号１Ｃで示す第４実施形態の表示装置は、遮光層７と地色層８との配置を逆転させて、遮光層７の開口７ａを透明樹脂からなる透過層１１で埋め、減光層９の開口９ａ部分により地色層８の開口８ａの内周面８ｂのみを覆った点において、第３実施形態の表示装置１Ｂとは構成が異なっており、その他の点については第３実施形態の表示装置１Ｂと同様に構成されている。
【００５８】
このように構成された第４実施形態の表示装置１Ｃによっても、第３実施形態の表示装置１Ｂと同様の効果を得ることができる。
【００５９】
続いて、本発明の第５実施形態に係る表示装置について、図６を参照して説明する。
【００６０】
図６は本発明の第５実施形態に係る表示装置の要部拡大断面図であり、図６中引用符号１Ｄで示す第５実施形態の表示装置は、遮光層７に代えて着色層６と地色層８との間に減光層９を配置し、地色層８の開口８ａの内周面８ｂを減光層９の開口９ａ部分により覆わずに露出させた点において、第１実施形態の表示装置１とは構成が異なっており、その他の点については第１実施形態の表示装置１と同様に構成されている。
【００６１】
このように構成された第５実施形態の表示装置１Ｄは、減光層９の減光色が遮光層７の黒色等と同系の、限りなく光透過率＝０に近い色である場合に特に有効であり、この表示装置１Ｄでは、不図示の光源からの光が基板５及び着色層６を透過し、着色された着色照明光となって着色層６の表面に達すると、この着色照明光は次のようになる。
【００６２】
即ち、着色層６の表面のうち開口９ａに対応する表面部分を除く、減光層９により覆われた表面部分に達した着色照明光は、減光層９を殆ど透過できないため、減光層９によりほぼ遮光され、開口９ａに対応する着色層６の表面部分に達した着色照明光のみが、この開口９ａの内側を通過して、減光層９よりも文字板２の前方に出射する。
【００６３】
このような構成による第５実施形態の表示装置１Ｄによれば、減光層９の減光色が遮光層７の黒色等と同系の、限りなく光透過率＝０に近い色であることから、遮光層７に代えて減光層９を着色層６と地色層８との間に配置したとしても、表示部３を除く文字板２部分において、文字板２の前方に着色照明光が出射されるのが減光層９により確実に防がれ、また、減光層９自身に着色照明光が入射して表示部３ではないこの減光層９が発光されてしまうことをも、確実に防止される。
【００６４】
したがって、表示部３の発光表示が減光層９の発光によりぼやけて視認されてしまうという、意匠上の美観が損なわれてしまう事態の発生を防止し、表示装置１Ｄとしての意匠上の美観を高く維持することができる。
【００６５】
しかも、減光層９を遮光層７に代えて用いて、地色層８の表示色と明らかに異なって視認される黒色等の遮光層７をなくすことから、基板５に対する積層位置のずれ等による、地色層８の開口８ａの内側への遮光層７の開口７ａのはみ出しを発生しないようにすることができる。
【００６６】
その上、遮光層７の開口７ａの代わりに、地色層８の開口８ａよりも輪郭が小さい減光層９の開口９ａが開口８ａの内側にはみ出しても、減光層９の減光色が地色層８の表示色と所謂同系色の関係にあり、両者の色に違和感を起こさせるような差が生じないことから、文字板２上で地色層８の表示色と異なる色が視認されて違和感を起こさせるという、意匠上の美観が損なわれてしまう事態の発生を防止し、この点においても表示装置１Ｄとしての意匠上の美観を高く維持することができる。
【００６７】
尚、上述した第１乃至第５の各実施形態では、エンジン回転数を表示する表示装置１，１Ａ，１Ｂ，１Ｃ，１Ｄを例に取って説明したが、本発明は、速度計等のエンジン回転数以外の数値等を表示する表示装置にも同様に適用可能であり、また、表示部は、文字や目盛りに限らず、意匠抜きのウォーニングシンボル等であってもよいのは勿論のことである。
【００６８】
さらに、上述した第３及び第４の各実施形態では、装飾層９Ａがストライプ状である場合について説明したが、装飾層９Ａは特にストライプ状に限られず、格子状であったりその他の形状であったり、全くの不規則模様状であってもよい。
【００６９】
【発明の効果】
請求項１に記載した本発明によれば、透光性の基板の表面に設けられた透光性の着色層の透過により所定の発光色に着色された着色照明光を、前記着色層よりも前記基板から離れた側に設けられ、意匠抜きの開口により構成された文字、目盛り等の表示部を備えた、所定の表示色の地色層に背後から照射して、前記開口を通過する前記着色照明光により発光表示させる表示装置において、前記基板と前記地色層の間に設けられ、光の透過を不能とする遮光層であって、前記着色照明光が通過する前記開口と同一形状の第３開口を備えた、遮光層と、前記地色層の前記遮光層から離れた側の表面に設けられ、前記表示色に一致する色相でかつ該表示色よりも光透過率の低い減光色に着色された減光層であって、前記着色照明光が通過する第２開口を備えた減光層と、を有し、前記第２開口は、少なくともその周縁が前記開口の周縁と相似形状であり、当該周縁が前記開口の周縁よりも内側に延出している構成とした。
【００７０】
このため、地色層の表示色に一致する色相でこの表示色よりも光透過率の低い減光色に減光層が着色されていることから、減光層の第２開口の周縁をその輪郭の全周に亘り、地色層の延在方向において地色層の開口の周縁よりも内側に配置することによって、地色層の開口の周縁と減光層の第２開口の周縁とがずれて見えても、両者の色相に相違がないため視覚上の違和感が生じない。
【００７１】
しかも、減光色の方が表示色よりも光透過率が低いため、地色層の開口の周縁よりも内側に配置された減光層の第２開口の周縁部分が直接視認されたとしても、この第２開口の周縁部分を着色照明光が透過してぼんやり発光表示させることがない。
【００７２】
したがって、地色層の表示色と異なる色が視認されて違和感を起こさせたり、表示部の発光表示がぼやけて視認されてしまうといった、意匠上の美観が損なわれてしまうのが防止され、表示装置としての意匠上の美観を高く維持することができる。
【００７３】
請求項２に記載した本発明によれば、前記減光層は、少なくとも前記開口の周縁と該開口の内周面とを各々覆うように設けられている構成とした。
【００７４】
このため、減光層よりも着色層側に配置された地色層の開口の内周面が、地色層の表示色よりも光透過率の低い減光色の減光層により覆われることから、着色層を透過して地色層に入射した着色照明光が地色層内での内部反射により開口の内周面に達したとしても、この内周面から開口の内側への着色照明光の出射が減光層により抑制される。
【００７５】
したがって、地色層の開口の周縁部分がこの開口の内周面から出射する着色照明光によりぼんやり発光表示され、表示装置としての意匠上の美観が損なわれてしまうのを、確実に防止することができる。
【００７６】
請求項３に記載した本発明によれば、前記減光層は、前記第３開口の内周面をさらに覆うように設けられている構成とした。このため、表示部を除く部分が着色照明光により発光表示されてしまうのを防ぐために、地色層のうち開口以外の地色層部分に着色照明光が照射されるのを防ぐ遮光層を、地色層と着色層との間に配置する場合、この遮光層の第３開口の周縁が万一、地色層の延在方向において地色層の開口の周縁に対して位置ずれして、開口の内側にはみ出たとしても、減光層によって第３開口の内周面が覆われることから、地色層の開口の内側にはみ出た第３開口の周縁部分が直接視認されて、視覚上の違和感を起こさせてしまうことを、確実に防止することができる。
【００７７】
請求項４に記載した本発明によれば、前記地色層の前記遮光層から離れた側の表面に、前記減光色による所定パターンの模様を形成する装飾層がさらに設けられ、前記減光層は前記装飾層の部分により構成されている構成とした。このため、地色層の表面に表示色とのコントラスト差により所定パターンの模様を形成する装飾層が減光色によって設けられる場合、この装飾層の部分により減光層を構成することで、装飾層の形成によって減光層を地色層上に同時に形成して、地色層に対する減光層の形成工程を事実上省略することが可能となり、かつ、減光層を所定パターンの模様の一部として、地色層上における減光層の存在による視覚上の違和感を、より一層なくすことができる。
【００８０】
請求項６に記載した本発明によれば、透光性の基板の表面に設けられた透光性の着色層の透過により所定の発光色に着色された着色照明光を、前記着色層よりも前記基板から離れた側に設けられ、意匠抜きの開口により構成された文字、目盛り等の表示部を備えた、所定の表示色の地色層に背後から照射して、前記開口を通過する前記着色照明光により発光表示させる表示装置において、前記着色層と前記地色層の間に設けられ、前記表示色に一致する色相でかつ該表示色よりも光透過率の低い減光色に着色された、光の透過を抑制する減光層であって、前記着色照明光が通過する第２開口を備えた減光層、を有し、前記第２開口は、少なくともその周縁が前記開口の周縁と相似形状であり、当該周縁が前記開口の周縁よりも内側に延出している構成とした。
【００８１】
このため、地色層と着色層との間に減光層を配置して、減光層の第２開口の周縁を地色層の開口の周縁よりも地色層の延在方向における内側に配置したとしても、開口を除く地色層部分における着色照明光の透過が減光層によって抑制されることから、開口を除く地色層部分に対する着色照明光の照射を防ぐための遮光層を地色層と着色層との間に配設しなくても、表示部のみを着色照明光により発光表示させることが可能となり、これにより、その他の地色層部分が着色照明光により発光表示されて、表示装置としての意匠上の美観が損なわれてしまうのを、確実に防止することができる。
【図面の簡単な説明】
【図１】本発明の第１実施形態に係る表示装置の正面図である。
【図２】図１の表示装置の要部拡大断面図である。
【図３】本発明の第２実施形態に係る表示装置の要部拡大断面図である。
【図４】本発明の第３実施形態に係る文字板の要部拡大断面図である。
【図５】本発明の第４実施形態に係る文字板の要部拡大断面図である。
【図６】本発明の第５実施形態に係る文字板の要部拡大断面図である。
【図７】従来例に係る自動車用メータの回転計部分の正面図である。
【図８】図７の回転計の要部拡大断面図である。
【図９】図７の回転計の不具合を解消するために考えられる回転計の要部拡大断面図である。
【符号の説明】
３  表示部
６  着色層
７  遮光層
７ａ  開口（第３開口）
７ｂ，８ｂ  内周面
８  地色層
８ａ  開口
９  減光層
９Ａ  装飾層
９ａ  開口（第２開口）
【図１】
0004031103.tif 000002
【図２】
0004031103.tif 000003
【図３】
0004031103.tif 000004
【図４】
0004031103.tif 000005
【図５】
0004031103.tif 000006
【図６】
0004031103.tif 000007
【図７】
0004031103.tif 000008
【図８】
0004031103.tif 000009
【図９】
0004031103.tif 000010